(57)【要約】      （修正有）【課題】部品に負荷をかけることなく取り付けができ、周囲のスペースが狭くても部品から簡単に取り外しができる隙間閉塞構造を提供する。【解決手段】投写レンズの外周を取り囲む環状板を略二等分した形状に形成された閉塞部品4,5と、閉塞部品4,5を投写レンズの外周側面に取付けるときに閉塞部品4,5どうしを接続する２つの接続構造を備え、第１の接続構造は、第１の閉塞部品4に配設され、突起4a-1が設けられた上側のスナップフィット4aと、第２の閉塞部品5に配設され、スナップフィット4aを通す横穴5a-1が設けられたリブ形状とされ、横穴5a-1の縁部に突起4a-1が掛かる第１の被係合部5aを有する。第２の接続構造は、第１の閉塞部品4に配設され、突起4b-1が設けられた下側のスナップフィット4bと、第２の閉塞部品5に配設され、端部5b-1に突起4b-1が掛かるリブ形状の第２の被係合部5bを有する。【選択図】図９
2016080836.tif 000002
【特許請求の範囲】
【請求項１】
筐体に設けられた開口部と、前記筐体内に設置され、一部が前記開口部より前記筐体の外に露出する円柱状の部品と、の間に形成される隙間を塞ぐ機器の隙間閉塞構造であって、
前記部品の外周を取り囲む内周を有する環状板を略二等分した形状に形成された２つの板状部材と、
前記環状板を構成するように前記２つの板状部材を前記部品の外周側面に取付けるときに前記２つの板状部材どうしを接続する２つの接続構造と、を備え、
第１の前記接続構造は、
第１の前記板状部材に配設され、第１の突起が設けられた第１の弾性部材と、
第２の前記板状部材に配設され、前記第１の弾性部材を通す穴が設けられたリブ形状とされ、該穴の縁部に前記第１の突起が掛かる第１の被係合部と、を有し、
第２の前記接続構造は、
前記第１の前記板状部材に配設され、第２の突起が設けられた第２の弾性部材と、
前記第２の前記板状部材に配設され、端部に前記第２の突起が掛かるリブ形状の第２の被係合部と、を有する、
機器の隙間閉塞構造。
【請求項２】
請求項１に記載の機器の隙間閉塞構造であって、
前記第１及び第２の板状部材を前記部品の外周側面に取付けた状態において、前記第１の突起は前記部品とは反対の方向を向き、前記第２の突起は前記第１の突起と同じ方向を向くように配置されていることを特徴とする機器の隙間閉塞構造。
【請求項３】
請求項２に記載の機器の隙間閉塞構造であって、
各前記弾性部材はＵ字形部材からなり、該Ｕ字形部材を成している２つのストレート部のうちの一方が前記第１の板状部材に固定され、前記２つのストレート部のうちの他方は固定されずに前記第１又は第２の突起を備えており、
前記第２の弾性部材においては、前記他方の前記ストレート部が前記一方の前記ストレート部から上向きの所定の角度で配置されていることを特徴とする機器の隙間閉塞構造。
【請求項４】
請求項３に記載の機器の隙間閉塞構造であって、
前記第１の板状部材は、前記第１及び第２の板状部材を前記部品の外周側面に取付けて接続するときに前記第２の板状部材と当接し、かつ、前記第２の弾性部材の前記一方のストレート部を固定する壁を備え、
前記第２の板状部材は、前記第１及び第２の板状部材を前記部品の外周側面に取付けて接続した状態で前記壁と当接する側面と、当該状態で前記第１の板状部材から離れるように前記側面を傾斜させる角部と、を備え、前記第２の被係合部の前記端部から前記側面までの距離Ｘが、前記第２の被係合部の前記端部から前記角部までの距離Ｙよりも長いことを特徴とする機器の隙間閉塞構造。
【請求項５】
請求項１から４のいずれか１項に記載の機器の隙間閉塞構造であって、
前記部品の外周側面に固定され、前記環状板を構成するように前記第１及び第２の板状部材が取付け可能な被取付け部をさらに備え、
前記被取付け部の外周部は、前記第１の板状部材のみが嵌合する第１の嵌合部と、前記第２の板状部材のみが嵌合する第２の嵌合部とを備えていることを特徴とする機器の隙間閉塞構造。
【請求項６】
請求項１から５のいずれか１項に記載の機器の隙間閉塞構造であって、
前記機器はプロジェクタであり、前記部品は投写レンズであることを特徴とする機器の隙間閉塞構造。
【請求項７】
映像信号に応じた映像を生成する光学ユニットと、該映像を拡大投影するための投写レンズと、前記光学ユニットおよび前記投写レンズを収容し、該投写レンズの光出射面を露出する開口部を有する筐体と、を備え、
前記開口部と前記投写レンズの間に形成される隙間を塞ぐために、請求項１から５のいずれか１項に記載の隙間閉塞構造をさらに備えた、投写型表示装置。
【請求項８】
前記光学ユニットで生成された投写映像が進む光軸と交わる方向に前記投写レンズを移動させるためのレンズシフト装置をさらに備えた、請求項７に記載の投写型表示装置。
【発明の詳細な説明】
【技術分野】
【０００１】
本発明は、筐体内部の部品を筐体外部に露出させる開口部を備えた機器に関し、特に、筐体内部の部品と筐体の開口部との間に形成される隙間を塞ぐための構造（以下、隙間閉塞構造と称す）に関する。
【背景技術】
【０００２】
筐体に設けられた開口部によって筐体内部の部品を外部に露出させる機器としては、筐体の外側に投写レンズを露出させる投写型表示装置（以下、プロジェクタと称す）がある。プロジェクタは、映像信号に応じた映像を生成する光学ユニットと、該映像を拡大投影するための投写レンズと、これらを収容し、投写レンズの光出射面を露出する開口部を有する筐体と、を備えている。また近年のプロジェクタには、光学ユニットで生成された投写映像が進む光軸（以下、映像光軸と称す）と交わる所定の方向に投写レンズを移動させるためのレンズシフト装置がさらに備えたものがある。投写レンズを移動させることによって、プロジェクタ自体を移動させることなくスクリーン上で投写映像を移動させることができる。
【０００３】
上記したレンズシフト装置を備えるプロジェクタにおいて、筐体内の投写レンズを露出させる筐体の開口部は、投写レンズの移動を可能にするため、投写レンズの外周部よりも大きく形成されていなければならない。その結果、投写レンズと筐体の開口部との間に形成される隙間が広くなり、筐体の外側に筐体内部の構造が大きく露出してしまうことになる。この問題を防ぐ方法として、投写レンズの外周部に板状の構造体を設け、たとえ投写レンズが移動しても、板状の構造体で投写レンズと筐体の開口部との間の隙間を塞いだ状態に保つ方法が提案されている（特許文献１，２等）。具体的には、図１に示すようにプロジェクタの筐体１の正面に開口１ａが設けられ、開口１ａから投写レンズ２が露出している。不図示のレンズシフト装置によって投写レンズ２が開口１ａ内で移動できるように、開口１ａは投写レンズ２よりも大きく形成されており、開口１ａと投写レンズ２との間の隙間を塞ぐために投写レンズ２の外周部に板３が取り付けられている。
【先行技術文献】
【特許文献】
【０００４】
【特許文献１】特開２００４−２０５６８８号公報
【特許文献２】特開２００５−６２８５３号公報
【発明の概要】
【発明が解決しようとする課題】
【０００５】
しかし、投写レンズと筐体開口との間に形成される隙間を塞ぐための板状の構造体（図１の符号３の部品）が大きくなると、光学ユニットに対して投写レンズの組み付けもしくは分解を行うとき、大きな板が邪魔をして、投写レンズの光出射面側からアクセスできる範囲が限られてしまうという問題がある。この問題に鑑みて、板状の構造体を投写レンズの外周部に対して着脱可能にする必要があるが、一般に投写レンズは衝撃に弱いので、投写レンズに負荷がかかる取付け方法、例えば、ねじ打ち機を使った方法で、板状の構造体を取り付けるのは望ましくない。
【０００６】
そこで、投写レンズに負荷がかからないように投写レンズの外周部に板状の構造体を取り付ける方法として、板状の構造体を２つの部品に分割し、各部品を投写レンズの外周部に取り付け、スナップフィット構造を用いて両部品を接続する方法が検討されている。しかし、この方法は、投写レンズの周囲のスペースが少ないとき、限られた経路のアクセスのみで２部品の接続状態を解除できることが必要となる。
【０００７】
例えば、図２に示すように投写レンズ２の光出射面（正面）側から見たとき、投写レンズ２の下部と筐体１との間に小さいスペースしか無い場合、二つの板３を投写レンズ２の左右から取り付けるしかない。その場合、図２から分かるように、必然的に投写レンズ２の上下の部分で二つの板２を不図示のスナップフィットで締結することになるが、投写レンズ２の下側には手が入らない。そのため、投写レンズ２から板３を簡単に取り外すことができず、投写レンズ２の上側のスナップフィットのみを解除して板２を取り外せるようにすることが望まれる。
【０００８】
本発明は、上述した課題に鑑み、機器の筐体内の部品と筐体の開口部との間に形成される隙間を塞ぐための機器の隙間閉塞構造であって、部品に負荷をかけることなく取り付けができ、部品への取付け後、周囲のスペースが狭くても部品から簡単に取り外しができる隙間閉塞構造を提供することを目的とする。
【課題を解決するための手段】
【０００９】
本発明は、筐体に設けられた開口部と、筐体内に設置され、一部が開口部より筐体の外に露出する円柱状の部品と、の間に形成される隙間を塞ぐ機器の隙間閉塞構造に係るものである。上記課題を解決するための発明態様の一つは、部品の外周を取り囲む内周を有する環状板を略二等分した形状に形成された２つの板状部材と、環状板を構成するように２つの板状部材を部品の外周側面に取付けるときに２つの板状部材どうしを接続する２つの接続構造と、を備える。
第１の接続構造は、第１の前記板状部材に配設され、第１の突起が設けられた第１の弾性部材と、第２の前記板状部材に配設され、第１の弾性部材を通す穴が設けられたリブとされ、該穴の縁部に前記第１の突起が掛かる第１の被係合部と、を有する。
さらに、第２の接続構造は、第１の板状部材に配設され、第２の突起が設けられた第２の弾性部材と、第２の板状部材に配設され、端部に第２の突起が掛かるリブ形状の第２の被係合部と、を有する。
【発明の効果】
【００１０】
本発明によれば、機器の筐体内の部品と筐体の開口部との間に形成される隙間を塞ぐための機器の隙間閉塞構造において、部品に負荷をかけることなく取り付けができ、部品への取付け後、周囲のスペースが狭くても部品から簡単に取り外しができるものを提供できる。
【図面の簡単な説明】
【００１１】
【図１】本発明に関連する隙間閉塞構造を適用したプロジェクタの正面図である。
【図２】図１のプロジェクタにおいて上カバーを取り外した状態を示した正面図である。
【図３】本発明の一実施形態の隙間閉塞構造を投写レンズに取付ける様子を示した分解斜視図である。
【図４】図３の隙間閉塞構造の背面図である。
【図５】図３の隙間閉塞構造を構成する第１の閉塞部品の背面図である。
【図６】図３の隙間閉塞構造を構成する第２の閉塞部品の背面図である。
【図７】（ａ），（ｂ）は、それぞれ、第１及び第２の閉塞部品を投写レンズに取付けるための被取付け構造を二つの別角度から見た斜視図である。
【図８】第１の閉塞部品の下側のスナップフィットの形状を詳述するための図である。
【図９】被取付け部品から第１及び第２の閉塞部品を取り外す様子を示した図である。
【図１０】第２の閉塞部品を第１の閉塞部品からと分離する原理を
【発明を実施するための形態】
【００１２】
本発明の実施形態について図面を参照して説明する。以下の説明では、本発明に係る機器の隙間閉塞構造の適用例としてプロジェクタ（図１，２参照）を挙げて説明するが、本発明の適用対象はこれに限られない。
図１，２を用いて前述したように、プロジェクタの筐体１の内部には、投写レンズ２及びこれによって投写される映像を生成する光学ユニット等が設置されている。筐体１の正面には、筐体１内の投写レンズ２を外部に露出させる開口部１ａが開けられている。
開口部１ａと投写レンズ２との間に形成される隙間を塞ぐための隙間閉塞構造３が、投写レンズ２の周囲部に構成される。特に、図２には図１の状態から筐体１の上カバーを取り外した状態を示しているが、投写レンズ２を不図示のレンズシフト装置で移動できるように開口部１ａ（図２中の２点鎖線を参照）は十分に大きく形成され、これに伴い、隙間閉塞構造３も開口部１ａよりも大きな形状を有する。
【００１３】
図３は、投写レンズ２と、これに着脱可能な本実施形態の隙間閉塞構造３とを示す分解斜視図である。図４は、図３の投写レンズ２の光出射面とは反対側から見たときの隙間閉塞構造３の平面図である（投写レンズ２は不図示）。図５は図４の第１の閉塞部品４のみを示した図、図６は図４の第２の閉塞部品５のみを示した図である。図７の（ａ），（ｂ）は、それぞれ、第１及び第２の閉塞部品４，５を投写レンズ２に取付けるための被取付け部品６を別の方向から見た斜視図である。
本実施形態の隙間閉塞構造３は、板状部材である第１の閉塞部品４及び第２の閉塞部品５と、これらの部品４，５を投写レンズ２の外周部に取付けるための被取付け部品６と、を備える（図３，図４参照）。
【００１４】
第１の閉塞部品４及び第２の閉塞部品５は、投写レンズ２の外周を取り囲むことが可能な略円形の内周を有する環状板を左右に二等分した形状、すなわち略半円弧形状の内周を有する形状に形成されている（図３，図５，図６参照）。さらに、第１及び第２の閉塞部品４，５は一体に接続されて図４に示すような環状板の態様になり、さらに当該態様から、図５，６に示すように２つの閉塞部品４，５に分解することができる。これを容易に行うため、２つの閉塞部品４，５間の上側と下側の各接続部にスナップフィット４ａ，４ｂが採用されている。
一方、被取付け部品６は、筒形の投写レンズ２に嵌められる環状部６ａを有する。環状部６ａの外側面には、環状部６ａの幅方向に２つの対向する壁６ｂ，６ｃが配置されている。２つの壁６ｂ，６ｃは環状部６ａの外周に沿って延びて凹条６ｄを形成しており、この形状により、組立時に第１及び第２の閉塞部品４，５を被取付け部品６に案内しやすくなる。
【００１５】
さらに、第１及び第２の閉塞部品４，５の接続及び分解を容易にするための構造について図３〜図８に基づいて詳しく説明する。
第１の閉塞部品４は、上側と下側にスナップフィット４ａ，４ｂを有している（図４，図５参照）。各スナップフィット４ａ，４ｂは弾性部材により形成される。一方、第２の閉塞部品５は、上側と下側に、第１の閉塞部品４の各スナップフィット４ａ，４ｂが接続可能な被係合部５ａ，５ｂを備えている（図４，図６参照）。なお、本発明では、上側のスナップフィット４ａと被係合部５ａの組が第１の接続構造を構成し、下側のスナップフィット４ｂと被係合部５ｂの組が第２の接続構造を構成している。
【００１６】
第２の閉塞部品５の上側の被係合部５ａは、上側のスナップフィット４ａが貫通する横穴５ａ-１を備えたリブ形状とされており、横穴５ａ-１に上側のスナップフィット４ａを貫通させると、スナップフィット４ａの突起４ａ-１が横穴５ａ-１の縁部に引っ掛かって貫通方向とは逆の方向に抜けなくなる（図４，図６参照）。
【００１７】
また、図４の態様において第２の閉塞部品５から第１の閉塞部品４を取り外す際、上側のスナップフィット４ａを変形させて横穴５ｂ-１から突起４ａ-１を引き抜けるように、スナップフィット４ａが構成されている。図２の状態で投写レンズ２の外側から隙間閉塞構造３にアクセスして閉塞部品４，５を取り外せることが望まれている。したがって、スナップフィット４ａは、投写レンズ２の外から中心に向けて力を加えたとき、スナップフィット４ａが変形するように構成されていなければならない。こうした変形は図５に例示した上側のスナップフィット４ａの形状で可能となる、すなわち、Ｕ字形部材を横倒した形態で下側に位置するＵ字形部材のストレート部の端を固定し、この横倒したＵ字形部材の、上側に位置するストレート部の上面に突起４ａ-１を設けた形状で可能となる。
【００１８】
一方、第１の閉塞部品４の下側のスナップフィット４ｂは、前述した上側のスナップフィット４ａの形状と似た、横倒しのＵ字形状とし、変形する方向が上側のスナップフィット４ａと同一にされている。すなわち、図５の上から下へ変形する形状である。もし、変形する方向が上側のスナップフィット４ａとは逆である場合、スナップフィット４ｂと接続される第２の閉塞部品５の下側の被係合部にも、スナップフィット４ｂが貫通する横穴を設ける必要性が生じる。この横穴を設けるには金型にスライド構造が必要となり、金型費の増大を招く。このため、第２の閉塞部品５の下側の被係合部５ｂは、スナップフィット４ｂが貫通する横穴を備えておらず、下側のスナップフィット４ｂの突起４ｂ-１を引っ掛けるだけのリブ形状とされている（図４，図６参照）。
【００１９】
下側のスナップフィット４ｂを形成しているＵ字形部材は、下側に配置され横方向に延びる一のストレート部４ｂ-２と、上側に配置され横方向に延びる他のストレート部（突起４ｂ-１が設けられている部位）４ｂ-３とを備えている。特に、上側のストレート部４ｂ-３は下側のストレート部４ｂ-２に対して所定の角度がつけられている（図５参照）。これは、被取付け部品６に閉塞部品４，５を取り付ける際、真横からではなく、被取付け部品６を中心に回転して取り付けようとしたときに、閉塞部品４，５同士をより接続しやすくするためである。つまり、図８（ａ）に示すように、第２の閉塞部品５を回転して被係合部５ｂをスナップフィット４ｂに取り付けようとした場合、スナップフィット４ｂの両ストレート部４ｂ-２，４ｂ-３が略平行であると、上側ストレート部４ｂ-３の変形しにくい根元部分に被係合部５ｂがぶつかる。図８中の矢印が被係合部５ｂの移動軌跡を示している。この問題に関し、図８（ｂ）に示すように上側ストレート部４ｂ-３を下側ストレート部４ｂ-２に対して上向きの所定の角度（仰角）で配置することで、変形しにくい根元部分に被係合部５ｂがぶつかることを回避できる。
【００２０】
また、被取付け部品６の凹条６ｃ内において、環状部６ａの外周面の左半分側には第１のリブ部６ｅが設けられ（図７（ａ）参照）、環状部６ａの外周面の右半分側には第２のリブ部６ｆが設けられている。第１及び第２のリブ部６ｅ，６ｆは異なる形状にされており、これによって、第１及び第２の閉塞部品４，５が被取付け部品６に誤って相互に反対の位置に取付けられるのを防ぐことができる。このことを達成するために、例えば、第１のリブ部６ｅは１つの凸条によって構成され（図７（ａ）参照）、第２のリブ部６ｆは２つの凸条で構成されている（図７（ｂ）参照）。その一方で、第１の閉塞部品４には、第１のリブ部６ｅの１つの凸条と嵌合する１つの溝４ｃが形成され（図５参照）、第２の閉塞部品５には、第２のリブ部６ｆの２つの凸条と嵌合する２つの溝５ｃが形成されている（図６参照）。
【００２１】
さらに、被取付け部品６への第１及び第２の閉塞部品４，５の取り付けについて説明する。
図３に示したように、製造者は被取付け部品６を投写レンズ６の周囲に固定しておく。次いで、第１の閉塞部品４を被取付け部品５に取り付ける。このとき、第１の閉塞部品４が備えている溝４ｃは被取付け部品６の左側半分に配置された第１のリブ部６ｅだけと嵌合するように構成されているため（図５，図７（ａ））、製造者が誤って第２の閉塞部品５を被取付け部品６の左側半分に取り付けてしまうことはない。
続いて、被取付け部品６の右側半分に第２の閉塞部品５を右横側から取り付ける。この結果、図４に示すように、第２の閉塞部品５の上側の被係合部５ａの横穴５ａ-１の開口縁に第１の閉塞部品４の上側のスナップフィット４ａの突起４ａ-１が引っ掛かる。第２の閉塞部品５の下側の被係合部５ｂの端部５ｂ-１に第１の閉塞部品４の下側のスナップフィット４ｂの突起４ｂ-１もまた引っ掛かる。この状態では第２の閉塞部品５を取付け方向の逆には取り外せなくなる。
【００２２】
図４の上下左右方向における隙間閉塞構造４の位置は、各閉塞部品４，５と被取付け部品６の外周面との間の凹凸嵌合構造と、閉塞部品４，５間のスナップフィット構造とによって規定される。また、図４の紙面と垂直な方向（投写レンズ２の前後方向）における隙間閉塞構造４の位置は、被取付け部６の外周に沿って設けられた２つの対向する壁６ｂ，６ｃ（図７参照）によって規定される。このような形態によれば、被取付け部６の外周形状により隙間閉塞構造４の前後方向の位置を規定するため、閉塞部品４，５に被取付け部品６と嵌め合う嵌合穴を形成しないで済む。したがって、閉塞部品４，５を樹脂成形する場合、金型にスライド構造を設ける必要がない。
【００２３】
次に、被取付け部品６からの閉塞部品４，５の取り外しについて説明する。図９（ａ１）〜図９（ｃ１）は取り外しの様子を示している。また、図９（ａ１）〜図９（ｃ１）の二点鎖線で囲んだ部分の拡大図を図９（ａ２）〜図９（ｃ２）に示している。
閉塞部品４，５の取り外しの際には、第１の閉塞部品４の上側スナップフィット４ａの突起４ａ-１を下側に押し、上側スナップフィット４ａから第２の閉塞部品５の上側の被係合部５ａを引き抜く。それにより、図９の（ｂ１），（ｂ２），（ｃ１），（ｃ２）に示すように第２の閉塞部品５が第１の閉塞部品４の下側スナップフィット４ｂの突起４ｂ-１を支点に反時計回りに回転する。この回転に伴い、第２の閉塞部品５の下側の被係合部５ｂの端部５ｂ-１が下側スナップフィット４ｂの突起４ｂ-１から離れていき、突起４ｂ-１に端部５ｂ-１が引っ掛かっている状態が解かれる。
【００２４】
さらに、図１０を用いて、前述のように第２の閉塞部品５が取り外せる原理を詳述する。
図１０に示すように、第２の閉塞部品５の下側の被係合部５ｂの端部５ｂ-１には、閉塞部品４，５同士を接続した状態において下側スナップフィット４ｂの突起４ｂ-１の側面と当接する側面Ａが設けられている。また、第１の閉塞部品４が当接する第２の閉塞部品５の下部の側面は角部Ｂを有し、角部Ｂより下方の側面が第１の閉塞部品４から離れるように傾斜している。
角部Ｂは、側面Ａに対して横方向に並ぶ位置に設けられている。したがって、図９に示したように突起４ｂ-１を中心に側面Ａが回転するとき、角部Ｂとこれが当接する壁（図１０中の斜線部）４ｄとの間の距離が回転以降も縮まらないので、当該壁と角部Ｂが干渉することは無い。
また、角部Ｂより下方の側面は第１の閉塞部品４から離れるように形成され、角部Ｃでさらに第１の閉塞部品４から離れる方向に延びている。側面Ａから角部Ｃまでの距離をＹとすると、突起４ｂ-１を支点として第２の閉塞部品５が回転するとき、角部Ｃは半径Ｙの円上を移動する（図１０中の２点鎖線を参照）。
したがって、側面Ａから、角部Ｂが当接する壁（図中の斜線部）までの距離をＸとし、Ｘ＞Ｙの関係となるようにスナップフィット４ｂと被係合部５ｂとを配置したとき、角部Ｃも壁に干渉することは無い。
【００２５】
以上説明したように、上下のスナップフィット４ａ，４ｂのうちの一方のスナップフィット４ａのみを解除することで、第２の閉塞部品５を第１の閉塞部品４と干渉すること無く、スムーズに取り外すことができる。また、図２に示すように、投写レンズ２の下側には手が入らない場合であっても投写レンズ２から隙間閉塞構造３を取り外すことが容易である。さらに、スナップフィット４ａ，４ｂを使用しているので、投写レンズ２に負荷をかけることなく隙間閉塞構造３を取り付けることができる。
【００２６】
なお、本発明の適用例として、筐体内に設置された投写レンズを筐体外に露出させる開口部を備えたプロジェクタを示したが、本発明はプロジェクタに限られず、筐体内部の部品を筐体外部に露出させる開口部を備えた如何なる機器にも適用可能である。
【符号の説明】
【００２７】
１    筐体
１ａ    開口部
２    投写レンズ
３    隙間閉塞構造
４    第１の閉塞部品
４ａ    上側のスナップフィット
４ａ-１    凸部
４ｂ    下側のスナップフィット
４ｂ-１    凸部
４ｂ-２，４ｂ-３    ストレート部
４ｃ    溝
４ｄ    壁
５    第２の閉塞部品
５ａ    上側の被係合部
５ａ-１    横穴
５ｂ    下側の被係合部
５ｂ-１    端部
５ｃ    溝
６    被取付け部品
６ａ    環状部
６ｂ，６ｃ    壁
６ｄ    凹条
６ｅ    第１のリブ部
６ｆ    第２のリブ部
【図１】
2016080836.tif 000003
【図２】
2016080836.tif 000004
【図３】
2016080836.tif 000005
【図４】
2016080836.tif 000006
【図５】
2016080836.tif 000007
【図６】
2016080836.tif 000008
【図７】
2016080836.tif 000009
【図８】
2016080836.tif 000010
【図９】
2016080836.tif 000011
【図１０】
2016080836.tif 000012